(57)【要約】【課題】外光から遮光された状態で画像記録材料を画像記録装置に装填することが可能な画像記録材料包装体及び画像記録材料装填装置を提供する。【解決手段】画像記録材料包装体１０を載置台３８、４０、４２に装填し、蓋体７０、７２、７４を溝６４、６６、６８に挿入すると、面ファスナーのループ２８とフック５８とが接着し、載置台３８、４０、４２の内部は外光から遮光される。溝６４、６６、６８から遮光袋１２を引き抜くと、遮光袋１２から遮光袋１２の一部７６が分離し、該遮光袋１２の一部７６が載置台３８、４０、４２の内部に残る。このとき、遮光袋１２の一部７６に貼着されたバーコードラベル２４とバーコードリーダとが開口部５２、５４、５６に対向するので、バーコードラベル２４の識別情報を外部より容易に読み取ることができる。【選択図】図６
2004029562.tif 000002
【特許請求の範囲】
【請求項１】
画像記録装置に供給されることにより、画像情報が可視画像として記録される複数の画像記録材料を収容するための遮光袋を有し、前記遮光袋を移動除去することにより、前記遮光袋の内部に収容されていた前記複数の画像記録材料を、画像記録材料装填装置の内部に装填する画像記録材料包装体において、
前記遮光袋には、前記画像記録材料の識別情報が記憶され、且つ、前記遮光袋の移動除去の際に、前記遮光袋の一部と共に前記遮光袋から分離する識別情報部が設けられ、
前記遮光袋を前記画像記録材料装填装置の内部に載置して移動除去させたとき、前記遮光袋の一部と前記画像記録材料装填装置の内部とを密着させ、且つ、前記画像記録材料を外光から遮光させる遮光手段を有する
ことを特徴とする画像記録材料包装体。
【請求項２】
請求項１記載の画像記録材料包装体において、
前記遮光手段は接着手段を兼ねており、面ファスナー、粘着材、接着剤、磁石のいずれかより選択される
ことを特徴とする画像記録材料包装体。
【請求項３】
画像記録装置に供給されることにより、画像情報が可視画像として記録される複数の画像記録材料を有する遮光袋を載置し、前記遮光袋を移動除去することにより、前記遮光袋の内部に収容されていた前記複数の画像記録材料を内部に装填する画像記録材料装填装置において、
前記遮光袋には、前記画像記録材料の識別情報が記憶され、且つ、前記遮光袋の移動除去の際に、前記遮光袋の一部と共に前記遮光袋から分離して遮光材料を形成する識別情報部が設けられ、
前記識別情報部を外部から視認可能となるように開口部が設けられ、
前記遮光袋の一部と密着させ、且つ、前記画像記録材料を外光から遮光させる遮光手段を有する
ことを特徴とする画像記録材料装填装置。
【請求項４】
請求項３記載の画像記録材料装填装置において、
前記遮光手段は接着手段を兼ねており、面ファスナー、粘着材、接着剤、磁石のいずれかより選択される
ことを特徴とする画像記録材料装填装置。
【発明の詳細な説明】
【０００１】
【発明の属する技術分野】
本発明は、画像記録装置に供給される画像記録材料を収容する画像記録材料包装体及び画像記録材料装填装置に関する。
【０００２】
【従来の技術】
近年、ＣＴ（Ｃｏｍｐｕｔｅｄ　Ｔｏｍｏｇｒａｐｈｙ）装置、ＣＲ（Ｃｏｍｐｕｔｅｄ　Ｒａｄｉｏｇｒａｐｈｙ）装置、ＭＲＩ（Ｍａｇｎｅｔｉｃ　Ｒｅｓｏｎａｎｃｅ　Ｉｍａｇｉｎｇ）装置等のコンピュータ支援診断装置が、医療分野において広汎に利用されている。これらの装置を用いて得られた電気信号としての被写体の放射線画像情報は、画像記録装置に転送された後、診断に適した所定の画像処理が施され、ＣＲＴ（Ｃａｔｈｏｄｅ　Ｒａｙ　Ｔｕｂｅ）やフイルム等の画像記録材料に可視画像である放射線画像として出力される。
【０００３】
この場合、画像記録材料に対し放射線画像情報を記録する画像記録装置では、例えば、積層状態で供給されるシート状の画像記録材料を枚葉して画像記録部まで搬送した後、前記放射線画像情報に応じて変調されたレーザビームを、前記画像記録材料に照射することにより、所定の画像処理を施した放射線画像が得られる。
【０００４】
ところで、このような画像記録装置では、放射線画像情報の種類や放射線画像の大きさ等に応じて、最適な感度特性又はサイズからなる画像記録材料を、作業者によって該画像記録装置に装填する作業が頻繁に行われている。前記作業者の作業効率の向上を図るためには、前記作業を明室で行い、画像記録装置に対する画像記録材料の誤装填を防止する必要がある。
【０００５】
そこで、例えば、特開平１−３０９０５３号公報には、画像記録材料である複数枚のフイルムの最上部に、白色部と黒色部との識別マークによる識別情報が記録された検知用シート体を配置したシートフイルム包装体及びその装填装置が開示されている。前記シートフイルム包装体を画像記録装置に装填した後、前記検知用シート体を吸着盤によって変位させると共に、ローラ対によって狭持させると、検知手段が駆動され、前記検知用シートにおける白色部及び黒色部の反射率の相違が検知手段によって検出され、前記フイルムの種類が識別される。
【０００６】
また、特開２００１−３５６４５０号公報には、識別情報が記録された識別情報部を有する複数枚の画像記録材料を遮光防湿袋に収容したシート状画像記録材料包装体と、前記シート状画像記録材料包装体を載置してから、前記遮光防湿袋を移動除去することによって、前記画像記録材料が装填されるシート状画像記録材料収納マガジンとが開示されている。この場合、前記シート状画像記録材料収納マガジンの底部に設けられ、窓用シャッターによって開閉自在である窓を介して、前記画像記録材料の識別情報の読み取りが可能である。
【０００７】
【発明が解決しようとする課題】
しかしながら、前記シートフイルム包装体及びその装填装置では、シートフイルム包装体に画像記録材料の識別情報が付されていないので、作業者はシートフイルム包装体の外観から、所定の画像記録材料であるかどうかを確認することができない。また、装填された画像記録材料が所定の画像記録材料ではないことが判明し、装填装置から装填された画像記録材料を取り出す場合、該画像記録材料が外光に曝されて感光し、使用不能となるおそれがある。
【０００８】
一方、前記シート状画像記録材料包装体では、画像記録材料の識別情報が付されているため、作業者の誤装填という問題は解決できる。しかしながら、前記シート状画像記録材料包装体を前記シート状画像記録材料収納マガジンに装填する作業が頻繁に行われると、窓用シャッターの開閉機能が低下するので、窓から外光が入り、前記画像記録材料が感光するおそれがある。
【０００９】
また、画像記録装置から前記シート状画像記録材料収納マガジンを取り外して、床等に置いたとき、置いた衝撃によって前記窓用シャッターの開閉機能が低下するおそれもある。
【００１０】
更にまた、前記シート状画像記録材料収納マガジンにおいては、前記窓用シャッターの部品点数が多く、且つ、前記窓用シャッターによってサイズが大型化するので、製造コストが増大するおそれもある。更に、前記シート状画像記録材料収納マガジンが画像記録装置に装填された後に、前記窓用シャッターが開かれるので、前記画像記録材料の識別情報の読み取り時間が増大するという問題もある。
【００１１】
本発明は、画像記録材料を収容した遮光袋の表面に前記画像記録材料の識別情報が記憶された識別情報部を設け、前記遮光袋を画像記録材料装填装置の内部に載置して、前記遮光袋を移動除去させたとき、前記遮光袋の一部と共に前記識別情報部が前記遮光袋から分離し、前記遮光袋の一部と前記画像記録材料装填装置の内部とを密着させることによって、前記画像記録材料を外光から遮光することを可能とさせる画像記録材料包装体及び画像記録材料装填装置を提供することを目的とする。
【００１２】
【課題を解決するための手段】
本発明に係る画像記録材料包装体は、上記した課題を解決するために、画像記録装置に供給されることにより、画像情報が可視画像として記録される複数の画像記録材料を収容するための遮光袋を有し、前記遮光袋を移動除去することにより、前記遮光袋の内部に収容されていた前記複数の画像記録材料を、画像記録材料装填装置の内部に装填する画像記録材料包装体において、前記遮光袋には、前記画像記録材料の識別情報が記憶され、且つ、前記遮光袋の移動除去の際に、前記遮光袋の一部と共に前記遮光袋から分離する識別情報部が設けられ、前記遮光袋を前記画像記録材料装填装置の内部に載置して移動除去させたとき、前記遮光袋の一部と前記画像記録材料装填装置の内部とを密着させ、且つ、前記画像記録材料を外光から遮光させる遮光手段を有することを特徴とする。
【００１３】
また、本発明に係る画像記録材料装填装置は、画像記録装置に供給されることにより、画像情報が可視画像として記録される複数の画像記録材料を有する遮光袋を載置し、前記遮光袋を移動除去することにより、前記遮光袋の内部に収容されていた前記複数の画像記録材料を内部に装填する画像記録材料装填装置において、前記遮光袋には、前記画像記録材料の識別情報が記憶され、且つ、前記遮光袋の移動除去の際に、前記遮光袋の一部と共に、前記遮光袋から分離して遮光材料を形成する識別情報部が設けられ、前記識別情報部を外部から視認可能となるように開口部が設けられ、前記遮光袋の一部と密着させ、且つ、前記画像記録材料を外光から遮光させる遮光手段を有することを特徴とする。
【００１４】
ここで、前記識別情報とは、前記画像記録材料の情報を文字又は符号化して表示した情報をいい、具体的には、前記画像記録材料のサイズ、品種、枚数、感度、製造年月日、有効期限、製造場所、製造ロット番号、製造者名等の情報をいう。また、画像記録材料装填装置とは、画像記録装置のトレイ、マガジン等をいう。
【００１５】
また、前記遮光袋とは、内部を光密とし、外光を遮光できるものであることが好ましい。また、前記遮光袋は更に遮湿機能を有することが好ましい。
【００１６】
前記遮光袋の一部とは、遮光材料を形成する前記識別情報部と共に前記遮光袋から分離可能なものをいい、前記遮光袋の一部を前記遮光袋から分離可能とする手段は、前記遮光袋を前記画像記録材料装填装置に載置して前記画像記録材料を装填したとき、該画像記録材料を外光に曝さないものであれば、いかなる手段でも選択可能である。例えば、前記外光が前記遮光袋の内部に入らない程度に、前記遮光袋の一部の外周に設けられた切取線等が好適である。
【００１７】
また、前記遮光袋の一部と前記画像記録材料装填装置の内部とは、遮光手段によって密着されているので、画像記録材料の交換作業を行っている作業者が、該画像記録材料装填装置を傾けて該画像記録材料の識別情報を確認したとしても、前記遮光袋の一部と前記画像記録材料装填装置との間に隙間は発生しない。そのため、前記画像記録材料装填装置の内部に外光が入り、前記画像記録材料が感光するという問題は発生しない。従って、作業者は明室において、画像記録材料を交換する作業を安心して行うことができる。
【００１８】
ここで、前記遮光手段は接着手段を兼ねており、面ファスナー、粘着材、接着剤、磁石等のいずれかより選択されることが好ましい。
【００１９】
前記粘着材としては、再剥離が可能な粘着材であれば、前記画像記録材料を交換する際、新たな画像記録材料包装体を速やかに前記画像記録材料装填装置に装填できるので好適である。
【００２０】
前記磁石を用いる場合には、前記遮光袋の一部及び前記画像記録材料装填装置が磁性体又は金属であることが好ましい。また、前記遮光袋の一部及び前記画像記録材料装填装置の一部が磁性体又は金属であってもよい。更に、前記遮光袋の一部及び／又は前記画像記録材料装填装置が磁石であっても構わない。
【００２１】
上記した遮光手段は、外光を遮光できるものであれば、どのような形態で設けられていても構わない。例えば、前記識別情報部を囲むように設けたり、前記遮光袋の一部の外周部に沿って設けることも可能である。
【００２２】
このように、前記接着手段によって前記画像記録材料装填装置の内部が外光から遮光され、且つ、前記識別情報部が前記開口部から視認可能であるから、前記画像記録材料装填装置の構造が簡素化されると共に、該画像記録材料装填装置の小型化を実現することができる。これにより、前記画像記録材料装填装置の製造コストの低減を図ることが可能となる。
【００２３】
【発明の実施の形態】
以下、本発明に係る画像記録材料包装体及び画像記録材料装填装置の好適な実施の形態について、図１〜図７を参照しながら説明する。
【００２４】
本発明の実施の形態に係る画像記録材料包装体１０は、図１に示すように、画像記録材料を光密に保持する遮光袋１２と、遮光袋１２に積層状態で収容される画像記録材料であるシート状のフイルムＦと、フイルムＦを保護し、遮光性を有する遮光材料からなる当て紙１４とを含む。
【００２５】
遮光袋１２は、前後に所定量の幅を有したひれ部１６ａ、１６ｂを有する。当て紙１４は、例えば、ボール紙等を折曲形成したもので、フイルムＦの最下部に配置される下面部１８ａと、フイルムＦの最上部に配置される上面部１８ｂと、下面部１８ａ及び上面部１８ｂをつなぐ側面部１８ｃと、ひれ部１６ａのフイルムＦの側部に配置される側面部１８ｄとを有する。
【００２６】
また、遮光袋１２の外表面においては、図２及び図３に示すように、遮光袋１２のひれ部１６ａ寄りの部位に、フイルムＦのサイズ、品種、枚数、感度、製造年月日、有効期限、製造場所、製造ロット番号、製造者名等の識別情報が記録されたバーコード２０と、これらのバーコード２０による識別情報に対応する数値データ２２とが印刷されたバーコードラベル２４が貼着されている。
【００２７】
更に、バーコードラベル２４を取り囲むようにして、面ファスナーのループ２８が貼着されている。
【００２８】
上記した画像記録材料包装体１０は、図４に示すように、本実施の形態に係る画像記録材料装填装置である画像記録装置３６の複数の載置台３８、４０、４２に装填可能である。
【００２９】
画像記録装置３６は、図示しないＣＴ装置、ＣＲ装置等から供給される画像情報を画像記録材料であるフイルムＦに対し可視画像として記録し、出力する。また、画像記録装置３６は、筐体４４の側面部に設けられた載置台３８、４０、４２の他に、筐体４４の上部に設けられ、画像記録装置３６の動作状態の表示や所定の作業指示を行うための表示を行う表示部４６と、画像記録装置３６に対して画像データを入力するための画像データ入力部４８とが配設される。
【００３０】
載置台３８、４０、４２は、画像記録装置３６のトレイであるが、画像記録装置３６から取り出して持ち運びが可能なマガジンであってもよい。
【００３１】
また、複数の載置台３８、４０、４２の下面部には、図５に示すように、装填されている画像記録材料包装体１０のバーコードラベル２４の位置に対応して開口部５２、５４、５６が形成されている。また、画像記録材料包装体１０の面ファスナーのループ２８の位置に対応して、開口部５２、５４、５６を取り囲むように面ファスナーのフック５８、６０、６２が形成されている。
【００３２】
次に、複数の載置台３８、４０、４２に画像記録材料包装体１０を装填して、画像記録材料であるフイルムＦを装填する作業を説明する。
【００３３】
まず、複数の載置台３８、４０、４２の内側に画像記録材料包装体１０を載置する。このとき、遮光袋１２のひれ部１６ａは、載置台３８、４０、４２の側面にそれぞれ設けられた溝６４、６６、６８から外部に引き出されている。
【００３４】
このとき、画像記録材料包装体１０に設けられた面ファスナーのループ２８と面ファスナーのフック５８、６０、６２とが接着し、画像記録材料包装体１０は載置台３８、４０、４２に対して強固に固着される。更に、面ファスナーのループ２８に取り囲まれるように画像記録材料包装体１０の下面部にはバーコードラベル２４が配置されているので、該バーコードラベル２４の位置と開口部５２、５４、５６の位置とが一致するように配置される。
【００３５】
次いで、遮光袋１２のひれ部１６ａが下部となるように、溝６４、６６、６８に蓋体７０、７２、７４を挿入する。
【００３６】
次いで、載置台３８、４０、４２の溝６４、６６、６８から外部に引き出されているひれ部１６ａを引っ張り、遮光袋１２を載置台３８、４０、４２から引き抜く。画像記録材料包装体１０に設けられた面ファスナーのループ２８の周囲には、図１に示すように、遮光袋１２の内部に外光が入らない程度の切取線Ｃが設けられている。そのため、遮光袋１２を引き抜くと、図６に示すように、切取線Ｃ内の遮光袋１２の一部７６が遮光袋１２と分離され、載置台３８、４０、４２の内部に残る。面ファスナーによる遮光袋１２の一部７６と画像記録材料包装体１０とが密着することよって、載置台３８、４０、４２の内部は光密に保持されるが、遮光袋１２の一部７６により、載置台３８、４０、４２の内部はより一層光密となる。従って、画像記録材料であるフイルムＦが外光によって感光するおそれは低減される。
【００３７】
上記のような作業によって、フイルムＦが装填された載置台３８、４０、４２を画像記録装置３６（図４参照）に挿入したとき、図７に示すように、筐体４４の内部に予め配設されているバーコードリーダ７８、８０、８２とバーコードラベル２４とが、開口部５２、５４、５６を介して対向する。そのため、バーコードラベル２４に記録されている識別情報を、バーコードリーダ７８、８０、８２によって読み取ることが可能となる。
【００３８】
最後に、載置台３８、４０、４２から蓋体７０、７２、７４を引き抜くと、図４に示すように、溝６４、６６、６８が蝶番型のシャッター８４、８６、８８によって閉じられる。
【００３９】
なお、蓋体７０、７２、７４は、上記したフイルムＦの装填作業中を除いては、筐体４４の側面に設けられた蓋体収容部９０に収容されている。
【００４０】
上記した作業では、図５及び図６に示すように、遮光袋１２を載置台３８、４０、４２の内部に載置することによって、遮光袋１２に設けられた面ファスナーのループ２８と、載置台３８、４０、４２の下面部に設けられた面ファスナーのフック５８、６０、６２とが接着し、遮光袋１２が載置台３８、４０、４２に対して強固に固着される。そのため、載置台３８、４０、４２の内部は、外光から遮光される。次いで、作業者が載置台３８、４０、４２の溝６４、６６、６８から遮光袋１２を引き抜いても、遮光袋１２から分離した遮光袋１２の一部７６が遮光材料としてそのまま載置台３８、４０、４２の内部に残るので、載置台３８、４０、４２内部は引き続き外光から遮光される。従って、本実施の形態では、フイルムＦを外光に曝すことなく、載置台３８、４０、４２に収容することができる。
【００４１】
また、作業者がフイルムＦの識別情報を確認する際には、通常、開口部５２、５４、５６を視認できる位置まで載置台３８、４０、４２を傾けるものと予想される。この場合、上記したように作業者が載置台３８、４０、４２を傾けると、当て紙１４と載置台３８、４０、４２の内部との間に隙間が発生し、該隙間から載置台３８、４０、４２の内部に外光が入り、フイルムＦが感光するおそれがある。
【００４２】
しかしながら、本実施の形態では、面ファスナーのループ２８と面ファスナーのフック５８、６０、６２との接着によって、遮光袋１２の一部７６と載置台３８、４０、４２とが強固に固着されるので、バーコードラベル２４を視認するために作業者が載置台３８、４０、４２を傾けても、上記したような隙間は発生しない。そのため、作業者はフイルムＦを画像記録装置３６に装填する作業を安心して行うことができる。
【００４３】
更に、図４に示す画像記録装置３６の筐体４４の内部には、図７に示すように、載置台３８、４０、４２及びバーコードリーダ７８、８０、８２以外にも、載置台３８、４０、４２の近傍に配置された枚葉機構９２、９４、９６と、載置台３８、４０、４２の上部に配置されたローラ９８及びプレート１００と、ローラ９８及びプレート１００の上部に配置された画像記録部１０２と、画像記録部１０２の側部に配置された熱現像部１０４と、画像記録部１０２の上部に配置された冷却部１０６とが設けられている。
【００４４】
次に、載置台３８、４０、４２に装填されたフイルムＦに対し放射線画像情報に基づく放射線画像が記録され、画像記録装置３６から出力される工程について説明する。
【００４５】
載置台３８、４０、４２に画像記録材料であるフイルムＦが装填され、作業者が該載置台３８、４０、４２を画像記録装置３６に装填すると、バーコードリーダ７８、８０、８２が開口部５２、５４、５６を介して、図６に示すバーコードラベル２４の識別情報を読み取る。これによって、画像記録装置３６は、所定のフイルムＦが載置台３８、４０、４２に装填されていることを判別することができる。
【００４６】
次いで、枚葉機構９２、９４、９６を駆動させ、載置台３８、４０、４２に装填されている最上部のフイルムＦの一部を狭持し、該フイルムＦのみを載置台３８、４０、４２から取り出す。
【００４７】
次いで、枚葉機構９２、９４、９６によって取り出された該フイルムＦは、ローラ９８及びプレート１００に搬送される。ローラ９８及びプレート１００は、該フイルムＦを押圧した状態で、熱現像部１０４に圧送する。このとき、画像記録部１０２からフイルムＦに対し、放射線画像情報に基づいて変調されたレーザビームＬが照射される。この照射によって、フイルムＦの表面には潜像からなる放射線画像が記録される。
【００４８】
放射線画像が記録されたフイルムＦは、ローラ９８及びプレート１００から熱現像部１０４に圧送される。熱現像部１０４は、放射線画像が記録されたフイルムＦを加熱し、潜像を顕像に変換する。この場合、フイルムＦは、プレートヒータ１０８ａ〜１０８ｃで加熱されながら、複数のローラ１１０と前記複数のローラ１１０を回転駆動させるドラム１１２とによって、熱現像部１０４の内部を搬送される。
【００４９】
次いで、熱現像部１０４から冷却部１０６にフイルムＦが搬送されると共に、該フイルムＦは冷却される。冷却されたフイルムＦは筐体４４の上面部である排出部１１４に排出される。
【００５０】
なお、上記した本実施の形態では、１枚のフイルムＦに対して放射線画像が記録される工程について説明したが、大量の放射線画像情報が画像記録装置３６に記憶され、複数枚のフイルムＦに放射線画像を出力する必要がある場合には、上記した工程を連続して行えばよいことは勿論である。
【００５１】
また、載置台３８、４０、４２に装填されているフイルムＦがなくなった場合には、前記載置台３８、４０、４２を画像記録装置３６から取り出し、画像記録材料包装体１０を再び載置台３８、４０、４２の内部に装填して作業を行えばよい。その際、上記した手順でフイルムＦを再装填することができることは勿論である。
【００５２】
上記した本実施の形態では、図６に示すように、遮光袋１２にバーコードラベル２４が貼着された場合について説明したが、バーコードラベル２４は遮光袋１２の下面部に固着されていても、再剥離可能であっても構わない。また、バーコードラベル２４は、遮光袋１２の下面部に直接印刷されていても構わない。
【００５３】
また、当て紙１４についても、フイルムＦを載置台３８、４０、４２に装填したとき、載置台３８、４０、４２の内部が外光から遮光できるものであれば、例えば、遮光性を有する黒色等からなる色紙、光透過性を有しないプラスチック材料、金属材料等であっても構わない。
【００５４】
また、上記した本実施の形態では、遮光袋１２の一部７６と載置台３８、４０、４２の下面部との遮光手段が、面ファスナーのループ２８と面ファスナーのフック５８、６０、６２とによる接着手段を兼ねていたが、接着手段を兼ねる前記遮光手段としては、前記面ファスナーの他にも粘着材、接着剤、磁石等のいずれかより選択可能であることは勿論である。
【００５５】
前記粘着材としては、再剥離が可能な粘着材であれば、フイルムＦが載置台３８、４０、４２からなくなった場合、新たなフイルムＦを速やかに載置台３８、４０、４２に装填することができる。
【００５６】
また、前記磁石を上記した接着手段に用いる場合には、遮光袋１２及び載置台３８、４０、４２が磁性体又は金属であることが好ましい。また、遮光袋１２の一部及び載置台３８、４０、４２の一部が磁性体又は金属であってもよい。更に、遮光袋１２及び／又は載置台３８、４０、４２が磁石であっても構わない。いずれにしても、フイルムＦを載置台３８、４０、４２に装填したとき、載置台３８、４０、４２の内部が外光から遮光できるものであれば、どのような形態でも選択可能である。
【００５７】
また、上記した本実施の形態では、面ファスナーのループ２８がバーコードラベル２４を取り囲むように、遮光袋１２の下面部に設けられ、面ファスナーのフック５８、６０、６２が開口部５２、５４、５６を取り囲むように載置台３８、４０、４２の下面部に設けられていたが、上記した遮光手段は外光を遮光できるものであれば、どのような形態で設けられていても構わない。例えば、面ファスナーのループ２８を遮光袋１２の一部７６の全体に設け、面ファスナーのフック５８、６０、６２を面ファスナーのループ２８に対応して載置台３８、４０、４２の下面部に設けられるようにしても構わない。また、面ファスナーのループ２８を遮光袋１２の一部７６の外周部に設け、面ファスナーのフック５８、６０、６２を面ファスナーのループ２８に対応して載置台３８、４０、４２の下面部に設けられるようにしても構わない。
【００５８】
また、遮光袋１２の一部７６についても、面ファスナーのループ２８を取り囲むように設けていても、当て紙１４の下面部１８ａを覆うように設けていても構わない。
【００５９】
また、切取線Ｃについても、遮光袋１２の一部７６が遮光袋１２から容易に分離可能であれば、どのような手段でも構わない。
【００６０】
なお、本発明に係る画像記録材料包装体及び画像記録材料装填装置は、上述の実施の形態に限らず、本発明の要旨を逸脱することなく、種々の構成を採り得ることは勿論である。
【００６１】
【発明の効果】
以上説明したように、本発明に係る画像記録材料包装体及び画像記録材料装填装置によれば、画像記録材料が遮光袋の内部に収容され、前記遮光袋を画像記録材料装填装置に載置して、前記遮光袋を移動除去させたとき、前記遮光袋の一部が前記遮光袋から分離し、前記遮光袋の一部と前記画像記録材料装填装置の内部とが、遮光手段によって密着されるので、前記画像記録材料を外光から遮光でき、作業者は安心して該画像記録材料を画像記録装置に装填することができる。
【００６２】
また、作業者が画像記録材料装填装置を傾けて画像記録材料の識別情報を視認したとしても、遮光手段によって遮光材料と前記画像記録材料装填装置との間に隙間は発生しないので、前記画像記録材料装填装置の内部に外光が入り前記画像記録材料が感光するという問題は発生しない。そのため、作業者は明室において、前記画像記録材料の交換作業を安心して行うことができる。
【００６３】
更に、画像記録材料装填装置の開口部を介して前記遮光袋の一部に設けられた識別情報部を視認できるので、該画像記録材料装填装置の構造が簡素化され、該画像記録材料装填装置の小型化と製造コストの低減とを共に実現することができる。
【図面の簡単な説明】
【図１】画像記録材料を収容する画像記録材料包装体の内部を示す斜視図である。
【図２】図１の画像記録材料包装体の内部を下方から見た斜視図である。
【図３】画像記録材料包装体の内部を示す縦断面図である。
【図４】画像記録装置の概略構成図である。
【図５】画像記録材料包装体の載置台への装填を示す概略構成図である。
【図６】画像記録材料包装体の載置台への装填を下方から見た概略構成図である。
【図７】画像記録装置の内部を示す断面図である。
【符号の説明】
１０…画像記録材料包装体　　　　　　１２…遮光袋
１４…当て紙　　　　　　　　　　　　１６ａ、１６ｂ…ひれ部
１８ａ…下面部　　　　　　　　　　　１８ｂ…上面部
１８ｃ、１８ｄ…側面部　　　　　　　２０…バーコード
２２…数値データ　　　　　　　　　　２４…バーコードラベル
２８…ループ　　　　　　　　　　　　３６…画像記録装置
３８、４０、４２…載置台　　　　　　４４…筐体
４６…表示部　　　　　　　　　　　　４８…画像データ入力部
５２、５４、５６…開口部　　　　　　５８、６０、６２…フック
６４、６６、６８…溝　　　　　　　　７０、７２、７４…蓋体
７６…一部
７８、８０、８２…バーコードリーダ　８４、８６、８８…シャッター
９０…蓋体収容部　　　　　　　　　　９２、９４、９６…枚葉機構
９８、１１０…ローラ　　　　　　　　１００…プレート
１０２…画像記録部　　　　　　　　　１０４…熱現像部
１０６…冷却部
１０８ａ〜１０８ｃ…プレートヒータ　１１２…ドラム
１１４…排出部　　　　　　　　　　　Ｆ…フイルム
Ｌ…レーザビーム
【図１】
2004029562.tif 000003
【図２】
2004029562.tif 000004
【図３】
2004029562.tif 000005
【図４】
2004029562.tif 000006
【図５】
2004029562.tif 000007
【図６】
2004029562.tif 000008
【図７】
2004029562.tif 000009